(57)【要約】【課題】ｐｈｓ等の携帯型電話モジュールを通信機構として備える携帯型情報機器において、電池の残量が十分にあるときには接続性を重視した制御を行い、そうで無いときには動作持続性を重視した制御を行い、応答性と省電力の両方を図る。【解決手段】電池、通信モジュール、ｃｐｕ、メモリ、電池の残量測定機構から成る。通信状態が圏外となったときに、電池の残量が十分に有る際には一刻も早く圏内へ復帰するための処理動作を行い、電池の残量が十分では無い際には一定時間通信モジュールを停止させ、その後基地局の探索動作を行わせる。【選択図】        図１
2005012506.tif 000002
【特許請求の範囲】
【請求項１】
通信の圏外処理動作内容を電池の残容量値によって変更することが出来ることを特徴とする携帯型情報処理装置。
【請求項２】
電池、該電池の残容量を測定する機構、電波を媒体とし基地局を介して外部との通信を行う通信機構、ｃｐｕ、メモリから成り、請求項１の特徴を有する携帯型情報処理装置。
【請求項３】
請求項２において、該電池の残容量値が十分では無いと判断が成されている際に通信状態が通信圏外の状態となったときに、一定時間該通信機構を停止することを特徴とする携帯型情報処理装置。
【請求項４】
請求項３において、該一定時間が経過し、通信機構を再活性化させた後も通信状態が通信圏外の状態が変わらない場合に、再度一定時間該通信機構を停止し、この動作を繰り返すことを特徴とする携帯型情報処理装置。
【請求項５】
請求項３、及び請求項４において、該電池の残容量値が十分であると判断が成されている際に通信状態が通信圏外の状態となったときに、通信機構が通信基地局を探索する動作を行うことを特徴とする携帯型情報処理装置。
【請求項６】
請求項５において、通信状態が通信圏外の状態にあるときに、十分であると判断していた電池の残容量値が十分で無いとの判断となった際に、一定時間該通信機構を停止することを特徴とする携帯型情報処理装置。
【請求項７】
請求項１、２、３、４、５、及び６において、通信の圏外処理動作を切り替える電池の残容量値が設定可能であり、請求項１、２、３、４、５、及び６の特徴を有する携帯型情報処理装置。
【請求項８】
請求項１、２、３、４、５、及び６において、該通信機構を停止する時間が設定可能であり、請求項１、２、３、４、５、及び６の特徴を有する携帯型情報処理装置。
【請求項９】
請求項１、２、３、４、５、及び６において、通信の圏外処理動作を切り替える電池の残容量値と、該通信機構を停止する時間が設定可能であり、請求項１、２、３、４、５、及び６の特徴を有する携帯型情報処理装置。
【発明の詳細な説明】
【０００１】
【発明の属する技術分野】
本発明は、電池を電源として動作し、通信機構としてｐｈｓ等の携帯型電話機としての機能を有する通信モジュールを内蔵する携帯型情報処理装置における、通信モジュールの圏外処理に関するものである。
【０００２】
【従来の技術】
従来、携帯型電話機や携帯型電話機能を有する携帯型情報処理装置における通信モジュールの圏外処理は、接続性を重視する目的から、一刻も早く圏内に復帰するために基地局を探し続ける動作を行うのが一般的であった。しかし基地局を探し続ける動作は、通常の圏内における動作と比して、著しく電力を消費することから、動作の持続性を重視する目的から、圏外となった場合に一定時間通信モジュールの動作を停止し、その一定時間間隔で基地局の探索動作を行うという発明が成されている（特開平１０−２９０１９４）。
【０００３】
【発明が解決しようとする課題】
しかしながらそのような動作をさせた場合、通信モジュールが停止している一定時間の間は、条件的に通信可能圏内となったとしても接続性は確保出来ず、例えばちょうどそのようなときに送られてきたデータ等を受信出来ないという喜ばしく無い状況を導き出す。そうかと言って、基地局の探索動作を連続的に行う手法を採ると、特に電源である電池残量が残り少ない場合等に、動作持続性に大きな影響を及ぼす。
【０００４】
【課題を解決するための手段】
本発明はそれらの課題を鑑みて成されたものであり、該情報処理装置に備わる電池残量測定機構から報告される電池残量の値に基づき、通信モジュールの圏外処理動作を切り替えようというものである。
【０００５】
【発明の実施の形態】
図１は、本発明を実施した情報処理装置のブロック図である。情報処理装置はプロセッシング・モジュール１０１、バッテリ・モジュール１０２、通信モジュール１０３から成る。プロセッシング・モジュール１０１は、ｃｐｕ１０４、ｉ／ｏインタフェース１０５、メモリ１０６から成り、バッテリ・モジュール１０２、通信モジュール１０３や、ｌｃｄやスイッチ等のユーザ・インタフェース１０７、その他スイッチ１０８と接続する。プロセッシング・モジュール１０１は、本情報処理装置で行う処理全般を取り仕切る。バッテリ・モジュール１０２は、バッテリ・マネージャ１０９、バッテリ１１０から成る。バッテリ・モジュール１０２は、本情報処理装置への電力の供給を取り仕切る。通信モジュール１０３は、通信マネージャ１１１、ＲＦ部１１２から成る。通信モジュール１０３は、本情報処理装置と外部との通信基地局を介した通信を取り仕切る。
【０００６】
本情報処理装置は、携帯情報機器としての一般的な機能を有し、それらの機能を実現するための動作を行うものであるが、本発明に深く関連する機能としては、バッテリ・モジュール１０２からプロセッシング・モジュール１０１へのバッテリ残量報告と、通信モジュール１０３からプロセッシング・モジュール１０１への通信圏内／圏外報告があげられる。
【０００７】
バッテリ・モジュール１０２からプロセッシング・モジュール１０１へのバッテリ残量報告は、バッテリ・マネージャ１０９が定期的にバッテリ１１０の残量を計測し、計測した値をプロセッシング・モジュール１０１へ報告するものである。プロセッシング・モジュール１０１内では、ｃｐｕ１０４がその値を用いて判断を行い、例えばｌｃｄ１０７上にバッテリ残量の表示を行ったり、危機的な場合においては情報処理装置全体の処理を止めたり、また任意の時点で設定出来るバッテリ残量のスレッショルド値との比較を行った上で、本発明の処理動作を行ったりする。
【０００８】
通信モジュール１０３からプロセッシング・モジュール１０１への通信圏内／圏外報告は、通信マネージャ１１１がＲＦ部１１２の接続状態を監視し、通信圏内であったものが通信圏外へ移行したとき、また通信圏外であったものが通信圏内へ移行したときに、プロセッシング・モジュール１０１へ報告するものである。プロセッシング・モジュール１０１内では、ｃｐｕ１０４がその状態値を用いて判断を行い、例えばｌｃｄ１０７上に接続状態の表示を行ったり、ユーザからの通信要求に応じるか否かを決定したり、また本発明の処理動作を行ったりする。
【０００９】
本発明の処理動作について説明する。図２に処理の遷移を示す。前述したように、バッテリ・モジュール１０２からプロセッシング・モジュール１０１へのバッテリ残量報告は定期的に行われる。通信モジュール１０３から通信圏外報告を受けたプロセッシング・モジュール１０１のｃｐｕ１０４は、メモリ１０６のある領域に格納してあるバッテリ残量の最新の値を読む。またｃｐｕ１０４は、メモリ１０６のある領域に格納したある残量のスレッショルド設定値も読む。ｃｐｕ１０４はそれら２つの値を比較した上で処理を進める。
【００１０】
バッテリ残量の最新値がスレッショルド設定値よりも大きかった場合、ｃｐｕ１０４は通信モジュール１０３に対して、基地局の探索を行わせる。通信圏内に戻ったことを示す報告があるまで、この状態を持続させる。通信圏内への移行の報告が成されると、情報処理装置の処理状態を通常処理に戻す。
【００１１】
バッテリ残量の最新値がスレッショルド設定値よりも小さかった場合、ｃｐｕ１０４は予め設定された時間、通信モジュール１０３を停止する。予め設定された時間が経過した後、ｃｐｕ１０４は通信モジュール１０３を再び動作させる。通信モジュール１０３の通信マネージャ１１１はＲＦ部１１２の接続状態を検知し、その状態（通信圏内／圏外）をプロセッシング・モジュール１０１に報告する。プロセッシング・モジュール１０１のｃｐｕ１０４は、その報告が通信圏内であることを示すものであった場合には、情報処理装置の処理状態を通常処理に戻す。或いはその報告が通信圏外であることを示すものであった場合には、予め設定された時間、通信モジュール１０３を再び停止し、これら処理を繰り返す。
【００１２】
（他の実施例）
図３は、本発明の異なる実施例の処理の遷移である。バッテリ残量の最新値がスレッショルド設定値よりも小さかった場合の処理は、前述の実施例と同様である。バッテリ残量の最新値がスレッショルド設定値よりも大きかった場合、ｃｐｕ１０４は通信モジュール１０３に対して、基地局の探索を行わせる。通信モジュール１０３内の通信マネージャ１１１は、予め設定された時間毎にプロセッシング・モジュール１０１に対して、接続状態の報告を行う。プロセッシング・モジュール１０１のｃｐｕ１０４は、その報告が通信圏内に戻ったことを示すものであった場合は、情報処理装置の処理状態を通常処理に戻す。これについては前述の実施例と同様である。差異は、通信モジュール１０３からの報告が通信圏外を示すものであった場合に、バッテリ残量の最新値とスレッショルド設定値との比較をやり直す点にある。比較した結果、バッテリ残量の最新値がスレッショルド設定値よりも大きかった場合、ｃｐｕ１０４は通信モジュール１０３に対して引き続き基地局の探索を行わせる。バッテリ残量の最新値がスレッショルド設定値よりも小さかった場合、ｃｐｕ１０４は予め設定された時間、通信モジュール１０３を停止する。それ移行の動作は同様である。
【００１３】
【発明の効果】
以上のようにすることで、バッテリの残量が十分ある場合は該情報処理装置の外部との接続性を可能な限り確保することが出来、バッテリの残量が十分では無い場合には該情報処理装置の動作持続性を可能な限り確保することが出来る。
【図面の簡単な説明】
【図１】本発明を実施した情報処理装置のブロック図。
【図２】本発明の処理動作のフロー図。
【図３】本発明の別の処理動作のフロー図。
【符号の説明】
１０１  プロセッシング・モジュール
１０２  バッテリ・モジュール
１０３  通信モジュール
１０４  ｃｐｕ
１０５  ｉ／ｏインタフェース
１０６  メモリ
１０７  ユーザ・インタフェース入出力
１０８  その他の入出力
１０９  バッテリ・マネージャ
１１０  バッテリ
１１１  通信マネージャ
１１２  ＲＦ部
【図１】
2005012506.tif 000003
【図２】
2005012506.tif 000004
【図３】
2005012506.tif 000005